(57)【要約】【課題】  薄型化に対して容易に対応することができ、且つ、開閉何れの動作に対してもバネ力が有効に作用することが可能なスライド装置を提供すること。【解決手段】  金属製ボディと、上記金属製ボディに対してスライド可能な状態で取り付けられた金属製フレームと、上記金属製ボディと金属製フレームとの間に設置され平面渦巻き状に構成された反転バネと、を具備したことを特徴とするものであり、それによって薄型化を効果的に図ることが可能になった。【選択図】  図１
2007224963.tif 000002
【特許請求の範囲】
【請求項１】
金属製ボディと、
上記金属製ボディに対してスライド可能な状態で取り付けられた金属製フレームと、
上記金属製ボディと上記金属製フレームとの間に設置され平面渦巻き状に構成された反転バネと、
を具備したことを特徴とするスライド装置。
【請求項２】
請求項１記載のスライド装置において、
上記反転バネは、上記金属製ボディと金属製フレームとをスライドさせたい方向に相対的に所定量スライドされるまではスライドさせたい方向とは反対方向に作用し、所定量以上スライドさせることにより反転してスライドさせたい方向に作用するものであることを特徴とするスライド装置。
【請求項３】
請求項１又は請求項２記載のスライド装置において、
上記金属製フレームには上記金属製ボディとの間のスライド部に樹脂製ガイドが設置されていることを特徴とするスライド装置。
【請求項４】
請求項３記載のスライド装置において、
上記金属ボディには塗装が施されていることを特徴とするスライド装置。
【請求項５】
請求項１〜請求項４の何れかに記載のスライド装置において、
上記反転バネは２個設置されていることを特徴とするスライド装置。
【請求項６】
請求項1〜請求項５の何れかに記載のスライド装置において、
スライドタイプの携帯電話用のものであることを特徴とするスライド装置。
【発明の詳細な説明】
【技術分野】
【０００１】
本発明は、例えば、スライドタイプの携帯電話に使用されるスライド装置に係り、特に、製造の容易化、薄型化に大きく寄与することができるように工夫したものに関する。
【背景技術】
【０００２】
携帯電話には、二つ折りになっていて、相互に回動させることにより開閉するタイプのものと、部分的に二つ重ねになっていて、相互にスライドさせることにより開閉するタイプのものがある。この内スライドタイプの携帯電話の構成を開示するものとして、例えば、特許文献１がある。
【０００３】
【特許文献１】特開２００２−３００２４３号公報
【０００４】
上記スライドタイプの携帯電話におけるスライドのための構成は概略次のようなものである。まず、ボディがあり、このボディに対してフレームがスライド可能な状態で取り付けられている。上記ボディとフレームとの間にはいわゆるトーションバネが設置されている。そして、使用者が上記フレーム側を押圧操作して開閉するものである。
【発明の開示】
【発明が解決しようとする課題】
【０００５】
上記従来の構成によると次のような問題があった。
まず、昨今、携帯電話の薄型化が要求されているが、従来のスライド方式の携帯電話の構成ではそのような薄型化に対応しきれないという問題があった。その原因の一つとして上記トーションバネの構成がある。すなわち、従来のトーションバネは厚み方向に渦巻き状に巻かれているために薄型化の大きな障害になってしまうという事情があった。
又、薄型化を困難にしている別の理由として、従来のボディとフレームがダイキャストや樹脂成形等によって製造されていることが挙げられ、これらの製法によって製造されたボディやフレームの場合には薄型化に限界があった
又、従来の構成の場合には、開閉動作の何れかについてはトーションバネが作用してバネ力が付加された状態で動作することになるが、他方の動作についてはトーションバネのバネ力が作用することはなかった。トーションバネのバネ力が作用する場合はその分だけ操作に要する力が軽減されることになるが、バネ力が作用しない場合にはそのような軽減効果はなく、その意味で改善が要求されていた。
【０００６】
本発明はこのような点に基づいてなされたものでその目的とするところは、薄型化に対して容易に対応することができ、且つ、開閉何れの動作に対してもバネ力が有効に作用することが可能なスライド装置を提供することにある。
【課題を解決するための手段】
【０００７】
上記目的を達成するべく本願発明の請求項1によるスライド装置は、金属製ボディと、上記金属製ボディに対してスライド可能な状態で取り付けられた金属製フレームと、上記金属製ボディと上記金属製フレームとの間に設置され平面渦巻き状に構成された反転バネと、を具備したことを特徴とするものである。
又、請求項２によるスライド装置は、請求項１記載のスライド装置において、  上記反転バネは、上記金属製ボディと金属製フレームとをスライドさせたい方向に相対的に所定量スライドされるまではスライドさせたい方向とは反対方向に作用し、所定量以上スライドさせることにより反転してスライドさせたい方向に作用するものであることを特徴とするものである。
又、請求項３によるスライド装置は、請求項１又は請求項２記載のスライド装置において、上記金属製フレームには上記金属製ボディとの間のスライド部に樹脂製ガイドが設置されていることを特徴とするものである。
又、請求項４によるスライド装置は、請求項３記載のスライド装置において、上記金属ボディには塗装が施されていることを特徴とするものである。
又、請求項５によるスライド装置は、請求項１〜請求項４の何れかに記載のスライド装置において、上記反転バネは２個設置されていることを特徴とするものである。
又、請求項６によるスライド装置は、請求項1〜請求項５の何れかに記載のスライド装置において、スライドタイプの携帯電話用のものであることを特徴とするものである。
【発明の効果】
【０００８】
以上述べたように本願発明によるスライド装置によると、金属製ボディと、上記金属製ボディに対してスライド可能な状態で取り付けられた金属製フレームと、上記金属製ボディと金属製フレームとの間に設置され平面渦巻き状に構成された反転バネと、を具備した鋼製になっているので、反転バネを平面渦巻き状に構成したことにより、薄型化を効果的に図ることが可能になった。
又、上記反転バネを上記金属製ボディと金属製フレームとをスライドさせたい方向に相対的に所定量スライドされるまではスライドさせたい方向とは反対方向に作用し、所定量以上スライドさせることにより反転してスライドさせたい方向に作用するものである構成とした場合には、開閉何れの方向への動作に対してもバネ力を効果的に作用させることができ、それによって、操作時に要する操作力を軽減させて操作性を向上させることができる。
又、上記金属製フレームには上記金属製ボディとの間のスライド部に樹脂製ガイドを設置した場合には、スライド時の抵抗を軽減させてスライド動作の円滑化を図ることができる。
又、上記金属ボディに塗装を施した場合にも、スライド時の抵抗を軽減させてスライド動作の円滑化を図ることができる。特に、上記樹脂製ガイド部材との併用により顕著な効果を奏することができる。    
又、上記反転バネを２個設置した場合は、上記効果をより確実なものとすることができる。
又、本発明によるスライド装置の適用範囲は様々であるが、例えば、スライドタイプの携帯電話用のものとして好適である。
【発明を実施するための最良の形態】
【０００９】
以下、図１乃至図５を参照して本発明の一実施の形態を説明する。図１は本実施の形態によるスライド装置の構成を示す平面図であって閉成状態を示しており、図２は図１のＩＩ−ＩＩ矢視図、図３は開成状態のスライド装置の構成を示す平面図、図４は図１のＩＶ−ＩＶ断面図、図５は図４のＶ部を拡大して示す断面図である。
【００１０】
まず、金属製のボディ１があり、このボディ１は略平板状をなしていて、左右両側は図１において紙面に直交する上方に折り曲げられていて、さらに、その先端部は外側に向けて折り曲げられている。そして、それら左右の折り曲げ部がガイドレール３、３となっている。又、上記ボディ１はステンレス鋼製であるとともに、その表面には塗装が施されている。
【００１１】
上記ボディ１の上側には金属製のフレーム５が図中上下方向にスライド可能な状態で取り付けられている。このフレーム５は上記ボディ１と同様にステンレス鋼製である。又、上記フレーム５の左右両側は、図１において紙面に直交する下方に「Ｕ字状」に折り曲げられている。この左右の折り曲げ部がガイド部７、７となっている。
尚、図５に拡大して示すように、上記左右のガイド部７、７の部分は若干薄肉状に形成されている。
【００１２】
又、図４に示すように、上記ガイド部７、７には、樹脂製のガイド部材９、９が取り付けられている。上記ガイド部材９、９はその横断面形状が「Ｕ字状」に形成されている。そして、上記ガイド部材９、９を介して既に説明したガイドレール３、３に対してスライド可能な状態で係合している。すなわち、上記ガイド部材９には、図５に拡大して示すように、溝９ａが形成されていて、該溝９ａ内に上記ガイドレール３の端が移動可能に係合しているものである。  
【００１３】
上記ボディ１とフレーム５との間には２個の反転バネ１１、１３が取り付けられている。上記反転バネ１１、１３は渦巻き状のコイルスプリングであり、その渦巻きが平面的に巻かれた状態で構成されている。これは装置の薄型化に対応するためである。又、反転コイルバネ１１の一端１１ａはボディ１の係止部１５の係止穴１５ａに係止されており、他端１１ｂはフレーム５の係止部１７の係止穴１７ａに係止されている。同様に、反転コイルバネ１３の一端１３ａはボディ１の係止部１９の係止穴１９ａに係止されており、他端１３ｂはフレーム５の係止部２１の係止穴２１ａに係止されている。
【００１４】
又、本実施の形態によるスライド装置は、スライドタイプの携帯電話に使用されるものである。
【００１５】
以上の構成を基にその作用を説明する。
まず、図１は携帯電話が閉じられた時のスライド装置の状態を示している。この状態から、フレーム５に対して図中上向きの力を作用させてフレーム５を上方にスライドさせていく。すなわち、フレーム５に対して、例えば、指を添えて上向きに押し上げる。それによって、フレーム５は反転バネ１１、１３のスプリング力に抗して上方にスライドしていく。
【００１６】
そして、フレーム５が所定量（この実施の形態の場合にはストロークの略半分）を越えるところまでスライドすると、上記反転バネ１１、１３のスプリング力の作用方向が反転し、フレーム５を上向きに付勢することになる。その結果、フレーム５は反転バネ１１、１３のスプリング力によってそれ以降自動的に上向きにスライドしていくことになり、その結果図３に示すような状態になる。
【００１７】
次に、図３に示す状態から、フレーム５に対して図中下向きの力を作用させてフレーム５を下方にスライドさせていく。すなわち、フレーム５に対して、例えば、指を添えて下向きに押し下げる。それによって、フレーム５は反転バネ１１、１３のスプリング力に抗して下方にスライドしていく。
【００１８】
そして、フレーム５が所定量（この実施の形態の場合にはストロークの略半分）を越えるところまでスライドすると、上記反転バネ１１、１３のスプリング力の作用方向が反転し、フレーム５を下向きに付勢することになる。その結果、フレーム５は反転バネ１１、１３のスプリング力によってそれ以降自動的に下向きにスライドしていくことになり、その結果図１に示すような状態になる。
【００１９】
以上本実施の形態によると次のような効果を奏することができる。
まず、装置の薄型化、ひいては組み込まれる携帯電話の薄型化を効果的に図ることができる。これは、反転バネ１１、１３が平面的に渦巻状に巻かれた構成になっているからである。又、ボディ１とフレーム５が共に金属製、具体的にはステンレス鋼製であってプレス加工によって製造されるものであり、例えば、従来のダイキャストや樹脂成形に比べて薄型化が可能な構成になっているからである。
又、開閉の何れの方向についても、反転バネ１１、１３が有効に作用して所定量以降の動作がスプリング力によって自動的に行われるように構成されているので、操作性が大幅に向上するものであるとともに、動作が瞬時に実行されるようになる。
又、樹脂製のガイド部材７、７の使用とボディ１に塗装を施したことにより、スライド動作時の抵抗が大幅に軽減されることになり、スライド動作の円滑化を図ることができる。
又、本実施の形態においては、各反転バネ１１、１３のボディ１或いはフレーム５側への取り付けは、夫々の端１１ａ、１１ｂ、１３ａ、１３ｂを夫々の係止部１５、１７、１９、２１の係合穴１５ａ、１７ａ、１９ａ、２１ａに差し込むだけであるので、製造・組立も簡単である。
【００２０】
尚、本発明は前記一実施の形態に限定されるものではない。
まず、反転バネの個数、配置についてはこれを特に限定するものではなく、様々な構成が想定される。
前記一実施の形態の場合には、ボディとフレームをステレンレス鋼製としたが、他の金属材料から構成することも考えられる。
その他図示した各部の構成はあくまで一例である。
又、前記一実施の形態の場合にはスライドタイプの携帯電話用のスライド装置の場合を例に挙げて説明したが、それに限定されるものではなく、様々な用途のスライド装置に適用可能である。
【産業上の利用可能性】
【００２１】
本発明はスライド装置に係り、特に、製造の容易化、薄型化に大きく寄与することができるように工夫したものに関し、例えば、スライドタイプの携帯電話の構造に好適である。
【図面の簡単な説明】
【００２２】
【図１】本発明の一実施の形態を示す図で、閉じた状態のスライド装置の構成を示す平面図である。
【図２】本発明の一実施の形態を示す図で、図１のＩＩ−ＩＩ矢視図である。
【図３】本発明の一実施の形態を示す図で、開いた状態のスライド装置の構成を示す平面図である。
【図４】本発明の一実施の形態を示す図で、図１のＩＶ−ＩＶ断面図である。
【図５】本発明の一実施の形態を示す図で、図４のＶ部を拡大して示す断面図である。
【符号の説明】
【００２３】
１  ボディ
３  ガイドレール
５  フレーム
７  ガイド部
９  ガイド部材
１１  反転バネ
１１ａ  反転バネの一端
１１ｂ  反転バネの他端
１３  反転バネ
１３ａ  反転バネの一端  
１３ｂ  反転バネの他端
１５  係止部
１５ａ  係止部の穴  
１７  係止部
１７ａ  係止部の穴  
１９  係止部
１９ａ  係止部の穴  
２１  係止部
２１ａ  係止部の穴
【図１】
2007224963.tif 000003
【図２】
2007224963.tif 000004
【図３】
2007224963.tif 000005
【図４】
2007224963.tif 000006
【図５】
2007224963.tif 000007